(57)【要約】【課題】タービンファンの回転力により回転ブラシを回転させるものにおいて、簡単な構成により床用吸込具が床面に接した状態で回転ブラシを回転させないようにすることができる縦型電気掃除機を提供することを課題とする。【解決手段】集塵部３及び電動送風機４が配設された本体部５と、本体部５が装着された支柱部２と、支柱部２の下部に吸込継手１９を介して上下回動自在に接続された床用吸込具６と、床用吸込具６の吸込口１２に臨んで回転自在に配設された回転ブラシ１６と、床用吸込具６内へ吸引される空気により回転するタービンファン１７と、タービンファン１７の回転力を回転ブラシに伝達する伝達手段１８とを備えた縦型電気掃除機において、前記支柱部２を倒した状態では、回転ブラシ１６を回転可能に構成すると共に、支柱部２を立てた状態では、回転ブラシ１６を回転させないように構成した【選択図】         図６
2005102892.tif 000002
【特許請求の範囲】
【請求項１】
集塵部及び電動送風機が配設された本体部と、本体部が装着された支柱部と、支柱部の下部に吸込継手を介して上下回動自在に接続された床用吸込具と、床用吸込具の吸込口に臨んで回転自在に配設された回転ブラシと、床用吸込具内へ吸引される空気により回転するタービンファンと、タービンファンの回転力を回転ブラシに伝達する伝達手段とを備えた縦型電気掃除機において、前記支柱部を倒した状態では、回転ブラシを回転可能に構成すると共に、支柱部を立てた状態では、回転ブラシを回転させないように構成したことを特徴とする縦型電気掃除機。
【請求項２】
前記支柱部を倒した状態では、タービンファンの回転力が回転ブラシに伝達され、支柱部を立てた状態では、タービンファンの回転力が回転ブラシに伝達されないように構成したことを特徴とする請求項１記載の縦型電気掃除機。
【請求項３】
前記伝達手段は、伝動ベルトと伝動ベルトに接触自在に移動するプーリーとから構成され、前記支柱部を倒した状態では、前記プーリーを伝動ベルトに接触する位置に移動させて伝動ベルトに張りを生じさせ、タービンファンの回転力が回転ブラシに伝達されるように構成すると共に、支柱部を立てた状態では、前記プーリーを伝動ベルトから離れる方向に移動させて伝動ベルトに弛みを生じさせ、タービンファンの回転力が回転ブラシに伝達されないように構成したことを特徴とする請求項１または請求項２記載の縦型電気掃除機。
【請求項４】
前記支柱部を倒した状態では、回転ブラシは回転し、支柱部を立てた状態では、回転ブラシの回転力を低減させるように構成したことを特徴とする請求項１記載の縦型電気掃除機。
【請求項５】
前記床用吸込具の吸込口から本体部へ吸引される第１吸気流路と、床用吸込具の開閉自在に形成された開口部から本体部へ吸引される第２吸気流路とを設け、前記タービンファンを第１吸気流路に臨ませ、支柱部を倒した状態では、前記吸込継手が開口部を閉塞するように構成すると共に、支柱部を立てた状態では、前記吸込継手が開口部を開放するように構成されていることを特徴とする請求項１または請求項４記載の縦型電気掃除機。
【請求項６】
前記支柱部を倒した状態では、回転ブラシは回転し、支柱部を立てた状態では、回転ブラシを停止させるように構成したことを特徴とする請求項１記載の縦型電気掃除機。
【請求項７】
前記床用吸込具の吸込口から本体部へ吸引される第１吸気流路と、床用吸込具の開閉自在に形成された開口部から本体部へ吸引される第２吸気流路とを設け、前記タービンファンを第１吸気流路に臨ませ、支柱部を倒した状態では、前記吸込継手が開口部を閉塞し、支柱部を立てた状態では、前記吸込継手が開口部を開放すると共に、第１吸気流路を閉塞するように構成されていることを特徴とする請求項１または請求項６記載の縦型電気掃除機。
【請求項８】
前記タービンファンに対応する位置の吸込口後方に、吸込口に連通する切欠部を設け、切欠部の後端縁は、タービンファン前面のエアーガイドよりも後方に位置していることを特徴とする請求項４または請求項６記載の縦型電気掃除機。 
【請求項９】
前記床用吸込具の吸込口からタービンファンへ流れる吸気流路に臨む位置に回動可能な偏向板を設け、偏向板は、床用吸込具を床面に置いた状態ではタービンファンのファン先端のタービンファンを回転させる方向に向き、床用吸込具を床面より浮かした状態ではタービンファンの回転中心方向に向くように構成されていることを特徴とする請求項４または請求項６記載の縦型電気掃除機。
【請求項１０】
前記床用吸込具の吸込口から本体部へ吸引される第１吸気流路と、床用吸込具に形成された開口部と、開口部を開閉自在に閉塞するシャッターと、シャッターを開口部が開放する方向に付勢する付勢手段と、開口部から本体部へ吸引される第２吸気流路とを設け、前記タービンファンを第２吸気流路に臨ませ、支柱部を倒した状態では、開口部はシャッターの付勢力により開放されていると共に、支柱部を立てた状態では、シャッターの付勢力に抗して支柱部に当接して移動するシャッターにより開口部を閉塞する
ように構成されていることを特徴とする請求項１または請求項６記載の縦型電気掃除機。
【請求項１１】
前記開口部は、床用吸込具の上面に形成されていることを特徴とする請求項１０記載の縦型電気掃除機。
【請求項１２】
前記床用吸込具の吸込口から本体部へ吸引される第１吸気流路と、床用吸込具の上面に形成された開口部から本体部へ吸引される第２吸気流路とを設け、前記タービンファンを第２吸気流路に臨ませ、支柱部を倒した状態では、開口部は開放され、支柱部を立てた状態では、開口部は本体部底面により閉塞されるように構成されていることを特徴とする請求項１または請求項６記載の縦型電気掃除機。
【請求項１３】
集塵部及び電動送風機が配設された本体部と、本体部が装着された支柱部と、支柱部の下部に吸込継手を介して上下回動自在に接続された床用吸込具と、床用吸込具の吸込口に臨んで回転自在に配設された回転ブラシと、床用吸込具内へ吸引される空気により回転するタービンファンと、タービンファンの回転力を回転ブラシに伝達する伝達手段とを備えた縦型電気掃除機において、前記床用吸込具の吸込口から本体部へ吸引される第１吸気流路と、床用吸込具に形成された開口部と、開口部を開閉自在に閉塞するシャッターと、シャッターの開閉を操作するペダルと、開口部から本体部へ吸引され、タービンファンを回転させる第２吸気流路とを備えたことを特徴とする縦型電気掃除機。
【発明の詳細な説明】
【技術分野】
【０００１】
本発明は、電気掃除機に関し、特に、本体部と支柱部とから構成された縦型電気掃除機に関する。
【背景技術】
【０００２】
床用吸込具内に吸気される空気によりタービンファンを回転させ、タービンファンの回転力を回転ブラシに伝達して回転ブラシ回転させることにより、絨毯等の床面からごみを掻き取り床用吸込具内に吸引する縦型の電気掃除機は、掃除する時は支柱部を倒し、使用しない時は支柱部を略垂直状態にして立たせた状態で放置する。この立たせた未使用状態においても床用吸込具が床面に接しているため、この状態で誤ってスイッチを入れた場合や、掃除中の来客や電話等に対応するためスイッチを入れたままの状態で支柱部を立たせて放置した場合、タービンブラシの回転力により回転する回転ブラシにより同じ床面を集中的に掻き取ってしまい床面が部分的にはげてしまう虞があった。
【０００３】
タービンファンの回転力により回転する回転ブラシを有する床用吸込具が床面から浮いた状態になると、回転ブラシの回転を停止させるものが知られているが（例えば、特許文献１参照）、床用吸込具が床面に接した状態で回転ブラシを停止させることについては何ら考慮されていなかった。
【特許文献１】特開平１０−２１１１３３号公報
【発明の開示】
【発明が解決しようとする課題】
【０００４】
本発明は、このような課題を解決するためになされたものであり、タービンファンの回転力により回転ブラシを回転させるものにおいて、簡単な構成により床用吸込具が床面に接した状態で回転ブラシを回転させないようにすることができる縦型電気掃除機を提供することを課題とする。
【課題を解決するための手段】
【０００５】
上記課題を解決するための第１の手段は、集塵部及び電動送風機が配設された本体部と、本体部が装着された支柱部と、支柱部の下部に吸込継手を介して上下回動自在に接続された床用吸込具と、床用吸込具の吸込口に臨んで回転自在に配設された回転ブラシと、床用吸込具内へ吸引される空気により回転するタービンファンと、タービンファンの回転力を回転ブラシに伝達する伝達手段とを備えた縦型電気掃除機において、前記支柱部を倒した状態では、回転ブラシを回転可能に構成すると共に、支柱部を立てた状態では、回転ブラシを回転させないように構成したことを特徴とする。
【０００６】
上記課題を解決するための第１の手段において、前記支柱部を倒した状態では、タービンファンの回転力が回転ブラシに伝達され、支柱部を立てた状態では、タービンファンの回転力が回転ブラシに伝達されないように構成してもよい。
【０００７】
また、前記伝達手段は、伝動ベルトと伝動ベルトに接触自在に移動するプーリーとから構成され、前記支柱部を倒した状態では、前記プーリーを伝動ベルトに接触する位置に移動させて伝動ベルトに張りを生じさせ、タービンファンの回転力が回転ブラシに伝達されるように構成すると共に、支柱部を立てた状態では、前記プーリーを伝動ベルトから離れる方向に移動させて伝動ベルトに弛みを生じさせ、タービンファンの回転力が回転ブラシに伝達されないように構成してもよい。
【０００８】
上記課題を解決するための第１の手段において、前記支柱部を倒した状態では、回転ブラシは回転し、支柱部を立てた状態では、回転ブラシの回転力を低減させるように構成してもよい。
【０００９】
また、前記床用吸込具の吸込口から本体部へ吸引される第１吸気流路と、床用吸込具の開閉自在に形成された開口部から本体部へ吸引される第２吸気流路とを設け、前記タービンファンを第１吸気流路に臨ませ、支柱部を倒した状態では、前記吸込継手が開口部を閉塞するように構成すると共に、支柱部を立てた状態では、前記吸込継手が開口部を開放するように構成されてもよい。
【００１０】
上記課題を解決するための第１の手段において、前記支柱部を倒した状態では、回転ブラシは回転し、支柱部を立てた状態では、回転ブラシを停止させるように構成してもよい。
【００１１】
また、前記床用吸込具の吸込口から本体部へ吸引される第１吸気流路と、床用吸込具の開閉自在に形成された開口部から本体部へ吸引される第２吸気流路とを設け、前記タービンファンを第１吸気流路に臨ませ、支柱部を倒した状態では、前記吸込継手が開口部を閉塞し、支柱部を立てた状態では、前記吸込継手が開口部を開放すると共に、第１吸気流路を閉塞するように構成されてもよい。
【００１２】
また、前記タービンファンに対応する位置の吸込口後方に、吸込口に連通する切欠部を設け、切欠部の後端縁は、タービンファン前面のエアーガイドよりも後方に位置してもよい。
【００１３】
また、前記床用吸込具の吸込口からタービンファンへ流れる吸気流路に臨む位置に回動可能な偏向板を設け、偏向板は、床用吸込具を床面に置いた状態ではタービンファンのファン先端のタービンファンを回転させる方向に向き、床用吸込具を床面より浮かした状態ではタービンファンの回転中心方向に向くように構成されてもよい。
【００１４】
また、前記床用吸込具の吸込口から本体部へ吸引される第１吸気流路と、床用吸込具に形成された開口部と、開口部を開閉自在に閉塞するシャッターと、シャッターを開口部が開放する方向に付勢する付勢手段と、開口部から本体部へ吸引される第２吸気流路とを設け、前記タービンファンを第２吸気流路に臨ませ、支柱部を倒した状態では、開口部はシャッターの付勢力により開放されていると共に、支柱部を立てた状態では、シャッターの付勢力に抗して支柱部に当接して移動するシャッターにより開口部を閉塞するように構成されてもよい。
【００１５】
また、前記開口部は、床用吸込具の上面に形成されてもよい。
【００１６】
また、前記床用吸込具の吸込口から本体部へ吸引される第１吸気流路と、床用吸込具の上面に形成された開口部から本体部へ吸引される第２吸気流路とを設け、前記タービンファンを第２吸気流路に臨ませ、支柱部を倒した状態では、開口部は開放され、支柱部を立てた状態では、開口部は本体部底面により閉塞されるように構成されてもよい。
【００１７】
上記課題を解決するための第２の手段は、集塵部及び電動送風機が配設された本体部と、本体部が装着された支柱部と、支柱部の下部に吸込継手を介して上下回動自在に接続された床用吸込具と、床用吸込具の吸込口に臨んで回転自在に配設された回転ブラシと、床用吸込具内へ吸引される空気により回転するタービンファンと、タービンファンの回転力を回転ブラシに伝達する伝達手段とを備えた縦型電気掃除機において、前記床用吸込具の吸込口から本体部へ吸引される第１吸気流路と、床用吸込具に形成された開口部と、開口
部を開閉自在に閉塞するシャッターと、シャッターの開閉を操作するペダルと、開口部から本体部へ吸引され、タービンファンを回転させる第２吸気流路とを備えたことを特徴とする。
【発明の効果】
【００１８】
本発明の請求項１の構成によれば、支柱部を立てた状態にすると床用吸込具が床面に接した状態で回転ブラシを回転させないようにすることができ、回転ブラシにより同じ床面を集中的に掻き取ってしまい床面が部分的にはげてしまうことを防止することができる等の効果を奏する。
【００１９】
本発明の請求項２の構成によれば、支柱部を立てた状態にすると床用吸込具が床面に接した状態で回転ブラシを停止させることができ、回転ブラシにより同じ床面を集中的に掻き取ってしまい床面が部分的にはげてしまうことを防止することができる等の効果を奏する。
【００２０】
本発明の請求項３の構成によれば、簡単な構成により支柱部を立てた状態にすると床用吸込具が床面に接した状態で回転ブラシを停止させることができ、回転ブラシにより同じ床面を集中的に掻き取ってしまい床面が部分的にはげてしまうことを防止することができる等の効果を奏する。
【００２１】
本発明の請求項４の構成によれば、支柱部を立てた状態にすると床用吸込具が床面に接した状態で回転ブラシを回転させないようにすることができ、回転ブラシにより同じ床面を集中的に掻き取ってしまい床面が部分的にはげてしまうことを抑制することができる等の効果を奏する。
【００２２】
本発明の請求項５の構成によれば、簡単な構成により支柱部を立てた状態にすると床用吸込具が床面に接した状態で回転ブラシを回転させないようにすることができ、回転ブラシにより同じ床面を集中的に掻き取ってしまい床面が部分的にはげてしまうことを抑制することができる等の効果を奏する。
【００２３】
本発明の請求項６の構成によれば、支柱部を立てた状態にすると床用吸込具が床面に接した状態で回転ブラシを停止させることができ、回転ブラシにより同じ床面を集中的に掻き取ってしまい床面が部分的にはげてしまうことを防止することができる等の効果を奏する。
【００２４】
本発明の請求項７の構成によれば、簡単な構成により支柱部を立てた状態にすると床用吸込具が床面に接した状態で回転ブラシを回転させないようにすることができ、回転ブラシにより同じ床面を集中的に掻き取ってしまい床面が部分的にはげてしまうことを防止することができる等の効果を奏する。
【００２５】
本発明の請求項８の構成によれば、支柱部を立てた状態にすると床用吸込具が床面に接した状態で回転ブラシを回転させないようにすることができ、回転ブラシにより同じ床面を集中的に掻き取ってしまい床面が部分的にはげてしまうことを防止することができると共に、床用吸込具を床面から浮かしても回転している回転ブラシに誤って手が触れることを防止することができる等の効果を奏する。
【００２６】
本発明の請求項９の構成によれば、支柱部を立てた状態にすると床用吸込具が床面に接した状態で回転ブラシを回転させないようにすることができ、回転ブラシにより同じ床面を集中的に掻き取ってしまい床面が部分的にはげてしまうことを防止することができると共に、床用吸込具を床面から浮かしても回転している回転ブラシに誤って手が触れること
を防止することができる等の効果を奏する。
【００２７】
本発明の請求項１０の構成によれば、簡単な構成により支柱部を立てた状態にすると床用吸込具が床面に接した状態で回転ブラシを停止させることができ、回転ブラシにより同じ床面を集中的に掻き取ってしまい床面が部分的にはげてしまうことを防止することができる等の効果を奏する。
【００２８】
本発明の請求項１１の構成によれば、タービンファンを流れる吸気流路に極力床面のごみが流入することを防ぐことができ、タービンファンの目詰まりを防止することができる等の効果を奏する。
【００２９】
本発明の請求項１２の構成によれば、簡単な構成により支柱部を立てた状態にすると床用吸込具が床面に接した状態で回転ブラシを停止させることができ、回転ブラシにより同じ床面を集中的に掻き取ってしまい床面が部分的にはげてしまうことを防止することができる等の効果を奏する。
【００３０】
本発明の請求項１３の構成によれば、簡単な構成により床用吸込具が床面に接した状態で回転ブラシを停止させることができ、回転ブラシにより同じ床面を集中的に掻き取ってしまい床面が部分的にはげてしまうことを防止することができる等の効果を奏する。
【発明を実施するための最良の形態】
【００３１】
（第１実施形態）
本発明に係る縦型電気掃除機を実施するための最良の第１実施形態を図１乃至図８に基づいて説明する。
【００３２】
本発明の縦型電気掃除機は、上方にグリップ１を有する支柱部２と、支柱部２に装着され、集塵部３及び電動送風機４が配設された本体部５と、支柱部２の下部に上下回動自在に接続された床用吸込具６とから構成されている（図１乃至図４参照）。そして、この縦型電気掃除機を使用する場合は、図５に示すように支柱部２を倒し、縦型電気掃除機を使用しない場合は、図６に示すように支柱部２を略垂直に立てた状態にして縦型電気掃除機が倒れないようにする。
【００３３】
本体部５は、電動送風機４が配設されると共に、図示しない支柱部２への装着部を有するベース部７と、本体部５を支柱部２に装着した状態で、本体部５の上方に位置すると共に、ベース部７に着脱自在に装着される集塵部３とから構成されている。集塵部３の上方には取っ手８が形成されている。取っ手８近傍の取っ手８延長上のベース部７には電動送風機４を操作するスイッチ９が配設されている。本体部５のベース部７には、ホース１０の一端が連結されている。ホース１０の一端と集塵部３とは連通している（図１参照）。
【００３４】
床用吸込具６近傍の支柱部２には、ホース１０の他端が着脱自在に接続されるホース接続部１１が形成されている。ホース接続部１１と床用吸込具６の下方に形成された吸込口１２とは連通しており、ホース１０の他端をホース接続部１１に接続することにより、ホース１０を介して吸込口１２と集塵部３とは連通している（図１参照）。
【００３５】
床用吸込具６は、上ケース１３と下ケース１４からなって吸込口１２が下方に形成された横長の吸込具ケース１５と、吸込具ケース１５の吸込口１２に臨ませて吸込具ケース１５に回転自在に支持された回転ブラシ１６と、吸込具ケース１５内の後述する第１吸気流路２６に臨ませて吸込具ケース１５に回転自在に支持され、吸込口１２から吸引される空気により回転するタービンファン１７と、タービンファン１７の回転力を回転ブラシ１６に伝達する伝動ベルト１８と、吸込具ケース１５の後面側略中央に上下回動自在に取付け
られ、吸込口１２に連通する吸込継手１９とから構成されている。そして、吸込継手１９を支柱部２に接続することにより床用吸込具６に対して支柱部２が上下回動自在に回動するようになる（図５乃至図７参照）。
【００３６】
吸込継手１９は、略球状の回動部２０と、略球状の回動部２０内を貫通する吸気路２１と、支柱部２に接続される接続部２２とから構成されている。回動部２０は、上ケース１３に形成された上支持部２３と、下ケース１４に形成された下支持部２４とにより上下回動自在に支持されている。吸込継手１９の回動部２０に対応する下ケースの下支持部２４には開口部２５が形成されている（図５乃至図８参照）。支柱部２を倒した状態では、開口部２５は吸込継手１９の回動部２０により閉塞され、（図５参照）支柱部２を立てた状態では、開口部２５は開放されて吸気路２１と連通するようになっている（図６参照）。
【００３７】
床用吸込具６内には、吸込口１２、回転ブラシ１６及びタービンファン１７を介して吸込継手１９の吸気路２１に連通する第１吸気流路２６（図５参照）と、開口部２５を介して吸気路２１に連通する第２吸気流路２７（図６参照）との２つの吸気流路が形成されている。タービンファン１７は、第１吸気流路２６に臨んで配設され、第１吸気流路２６を流れる空気により回転し、第２吸気流路２７を流れる空気では回転しないようになっている。
【００３８】
このように構成された第１実施形態の縦型電気掃除機は、スイッチ９を入れると電動送風機４が駆動する。掃除をするために支柱部２を倒すと吸込継手１９の回動部２０により開口部２５は閉塞され、電動送風機４の駆動に伴い吸込口１２から床面のごみを空気と共に吸込み、第１吸気流路２６を介して流入する集塵部３において空気中のごみを捕集する。第１吸気流路２６を流れる空気によりタービンファン１７は回転するため、伝動ベルト１８を介して回転ブラシ１６を回転させることができる。そして、回転ブラシ１６が回転することにより床面のごみを掻き取ることができるため、掃除の効率を向上させることができる。
【００３９】
掃除が終われば、スイッチ９を切り支柱部２を立てて放置する。この状態で縦型電気掃除機は安定した状態となっており倒れる虞はない。この時、支柱部２の回動に伴い開口部２５は開放されて開口部２５と吸気路２１とは連通する。また、吸気路２１は第１吸気流路２６とも連通している。支柱部２を立てた状態で誤ってスイッチ９を入れた場合や、掃除中の来客や電話等に対応するためスイッチ９を入れたまま支柱部２を立てた状態で放置した場合には、開口部２５を介したタービンファン１７を回転させない第２吸気流路２７からも床用吸込具６内に空気を吸込むことができるため、第１吸気流路２６を流れる空気の量を減少させてタービンファン１７の回転力を減少させると共に回転ブラシ１６の回転力を減少させることができ、回転ブラシにより同じ床面を集中的に掻き取ってしまい床面が部分的にはげてしまうことを抑制することができる。
【００４０】
（第２実施形態）
図９及び図１０は本発明の第２実施形態を示している。尚、第１実施形態と同一部品については同一符号を付して説明を省略する。第２実施形態の吸込継手１９の吸気路２１は、第１吸気流路２６と連通する開放部２８を小さく形成している。そして、図９に示すように支柱部２を倒した状態では、開口部２５は吸込継手１９の回動部２０により閉塞されると共に、吸気路２１は開放部２８を介して第１吸気流路２６と連通する。また、図１０に示すように支柱部２を立てた状態では、開口部２５は開放部２８を介して吸気路２１に連通し第２吸気流路２７が構成されると共に、第１吸気流路２６は吸込継手１９の回動部２０により遮断される。この結果、タービンファン１７は停止すると共に、回転ブラシ１６も停止する。
【００４１】
このように構成された第２実施形態の縦型電気掃除機は、支柱部２を倒した状態では、第１実施形態と同様に吸気された空気により回転する回転ブラシ１６により床面のごみを掻き取ることができるため、掃除の効率を向上させることができる。また、支柱を立てた状態では、第１吸気流路２６は吸込継手１９の回動部２０により遮断されるため、回転ブラシ１６を停止させることができ、回転ブラシ１６により同じ床面を集中的に掻き取ってしまい床面が部分的にはげてしまうことを確実に防止することができる。
【００４２】
（第３実施形態）
図１１乃至図１３は本発明の第３実施形態を示している。尚、第１実施形態及び第２実施形態と同一部品については同一符号を付して説明を省略する。第３実施形態の吸込継手１９は、第１実施形態と同様に構成され、支柱部２を倒した状態では、開口部２５は吸込継手１９の回動部２０により閉塞され、支柱部２を立てた状態では、開口部２５は開放されて吸気路２１と連通するようになっている。
【００４３】
従って、第１実施形態と同様に、支柱部２を立てた状態で誤ってスイッチ９を入れた場合や、掃除中の来客や電話等に対応するためスイッチ９を入れたまま支柱部２を立てた状態で放置した場合には、開口部２５を介したタービンファン１７を回転させない第２吸気流路２７からも床用吸込具６内に空気を吸込むことができるため、第１吸気流路２６を流れる空気の量を減少させてタービンファン１７の回転力を減少させると共に回転ブラシ１６の回転力を減少させることができ、回転ブラシにより同じ床面を集中的に掻き取ってしまい床面が部分的にはげてしまうことを抑制することができる。
【００４４】
また、タービンファン１７に対応する位置の吸込口１２の後方（図１１の右側）には吸込口１２に連通する切欠部２９が形成されている。この切欠部２９の後端縁は、タービンファン１７の前面側のエアーガイド３０よりも寸法Ａだけ後方に位置している（図１２参照）。
【００４５】
このように構成された第３実施形態の縦型電気掃除機は、支柱部２を倒した状態では、第１実施形態と同様に第１吸気流路２６からごみを吸引する。この時、第１吸気流路２６を通過する空気によりタービンファン１７は回転すると共に、伝動ベルト１８を介して回転ブラシ１６も回転する。この状態で床用吸込具６を床面から持ち上げた場合、回転している回転ブラシ１６に誤って手が触れる等してけがをする虞がある。
【００４６】
そこで、第３実施形態では、タービンファン１７の前面側のエアーガイド３０よりも寸法Ａだけ後方に位置する切欠部２９を設けているため、切欠部２９から吸引される空気の作用により第１吸気流路２６を流れる空気は、図１２に示すようにタービンファン１７の回転中心側を流れるようになり、タービンファン１７は回転しなくなる。従って、回転している回転ブラシ１６に誤って手が触れる等してけがをする虞はない。この切欠部２９は床用吸込具６が床面に接している状態では、図１１に示すように切欠部２９から空気が吸引されることはなく、通常使用状態で不具合が発生することはない。
【００４７】
尚、第３実施形態では、吸込継手１９を第１実施形態と同様に構成したが、吸込継手１９を第２実施形態と同様に構成し、支柱部２を立てた状態で回転ブラシ１６を回転させないようにしてもよい。
【００４８】
（第４実施形）
図１４乃至図１７は本発明の第４実施形態を示している。尚、第１実施形態及び第３実施形態と同一部品については同一符号を付して説明を省略する。第４実施形態の吸込継手１９は、第１実施形態と同様に構成され、支柱部２を倒した状態では、開口部２５は吸込継手１９の回動部２０により閉塞され、支柱部２を立てた状態では、開口部２５は開放さ
れて吸気路２１と連通するようになっている。
【００４９】
従って、第１実施形態と同様に、支柱部２を立てた状態で誤ってスイッチ９を入れた場合や、掃除中の来客や電話等に対応するためスイッチ９を入れたまま支柱部２を立てた状態で放置した場合には、開口部２５を介して第２吸気流路２７からも床用吸込具６内に空気を吸込むことができるため、第１吸気流路２６を流れる空気の量を減少させてタービンファン１７の回転力を減少させると共に、回転ブラシ１６の回転力を減少させることができ、回転ブラシにより同じ床面を集中的に掻き取ってしまい床面が部分的にはげてしまうことを抑制することができる。
【００５０】
また、第１吸気流路２６に臨む床用吸込具６の底部には、偏向板３１が回動自在に装着されている。偏向板３１は、支軸３２を回動中心に支持され一端に突起部３３を形成している。偏向板３１は図示しないバネにより支軸３２を回動中心に反時計方向に付勢されている。従って、床用吸込具６を床面に置いた場合は、突起部３３が床面に当接して反時計方向への回動が阻止されるため、偏向板３１は略水平状態になりタービンファン１７のファン先端のタービンファン１７を回転させる方向を向く（図１４参照）。床用吸込具６を床面から浮かした場合は、偏向板３１は付勢されて反時計方向に回動し、偏向板３１はタービンファン１７の回動中心方向を向く（図１６参照）。
【００５１】
このように構成された第４実施形態の縦型電気掃除機は、支柱部２を倒した状態では、第１実施形態と同様に第１吸気流路２６からごみを吸引する。この時、第１吸気流路２６を通過する空気によりタービンファン１７は回転すると共に、伝動ベルト１８を介して回転ブラシ１６も回転する。この状態で床用吸込具６を床面から持ち上げた場合、回転している回転ブラシ１６に誤って手が触れる等してけがをする虞がある。
【００５２】
そこで、第４実施形態では、回動自在な偏向板３１を設けているため、反時計方向へ回動した偏向板３１を通過する空気の作用により第１吸気流路２６を流れる空気は、図１６に示すようにタービンファン１７の回転中心側を流れるようになり、タービンファン１７は回転しない。従って、回転している回転ブラシ１６に誤って手が触れる等してけがをする虞はない。この偏向板３１は床用吸込具６が床面に接している状態では、図１４に示すように偏向板３１は略水平状態になりタービンファン１７のファン先端のタービンファン１７を回転させる方向を向いてタービンファン１７を回転させるため、タービンファン１７の回転に悪影響を及ぼす虞はない。
【００５３】
尚、第４実施形態では、吸込継手１９を第１実施形態と同様に構成したが、吸込継手１９を第２実施形態と同様に構成し、支柱部２を立てた状態で回転ブラシ１６を回転させないようにしてもよい。
【００５４】
（第５実施形態）
図１８乃至図２０は本発明の第５実施形態を示している。尚、第１実施形態及び第４実施形態と同一部品については同一符号を付して説明を省略する。第５実施形態では、第２吸気流路２７の開口部２５を床用吸込具６の上方に向けると共に、開口部２５を開閉自在に閉塞するシャッター３４を設けている。
【００５５】
開口部２５と吸込継手１９の吸気路２１とを連通する第２吸気流路２７に臨ませてタービンファン１７を配設している。従って、第１吸気流路２６を流れる空気ではタービンファン１７は回転しないようになっている。開口部２５を開閉自在に閉塞するシャッター３４は図示しないガイドによりスライド自在に構成され、バネ等の付勢手段３５により開口部２５を開放する方向（図１８において右側）に付勢されている。シャッター３４の開口部２５と対向する一端には凸部３６が形成されている。凸部３６は、支柱部２を立てた状
態にした時、吸込継手１９に形成された当接部３７に当接するようになっている（図１９参照）。
【００５６】
このように構成された第５実施形態の縦型電気掃除機は、支柱部２を倒した状態では、付勢手段３５によりシャッター３４が開口部２５を開放する方向に移動し開口部２５は開放されているため、開口部２５を介して床用吸込具６内に空気を吸引し第２吸気流路２７を空気が流れる。これに伴ってタービンファン１７が回転し、回転ブラシ１６も回転する。床面のごみは第１吸気流路２６を流れる空気により吸引され集塵部で捕捉される。
【００５７】
支柱部２を立てた状態にすると、吸込継手１９の当接部３７がシャッター３４の凸部３６に当接し付勢力に抗してシャッター３４を開口部２５が閉塞する方向（図１９において左側）に移動させて開口部２５を閉塞する。この結果、第２吸気流路２７には空気が流れなくなりタービンファン１７は回転しない。従って、回転ブラシ１６も回転しないため、回転ブラシ１６により同じ床面を集中的に掻き取ってしまい床面が部分的にはげてしまうことを確実に防止することができる。また、開口部２５を床用吸込具６に上面に形成しているため、第２吸気流路２７を流れる空気には床面のごみが極力含まれておらず、タービンファン１７の目詰まりを防止することができる。
【００５８】
（第６実施形態）
図２１及び図２２は本発明の第６実施形態を示している。尚、第１実施形態及び第５実施形態と同一部品については同一符号を付して説明を省略する。第６実施形態では、第２吸気流路２７の開口部２５を床用吸込具６の上方に向けると共に、開口部２５を本体部５の底部３８で開閉自在に閉塞するようになっている。
【００５９】
開口部２５と吸込継手１９の吸気路２１とを連通する第２吸気流路２７に臨ませてタービンファン１７を配設している。従って、第１吸気流路２６を流れる空気ではタービンファン１７は回転しないようになっている。
【００６０】
このように構成された第６実施形態の縦型電気掃除機は、支柱部２を倒した状態では、開口部２５は開放されているため、開口部２５を介して床用吸込具６内に空気を吸引し第２吸気流路２７を空気が流れる。これに伴ってタービンファン１７が回転し、回転ブラシ１６も回転する（図２１参照）。床面のごみは第１吸気流路２６を流れる空気により吸引され集塵部で捕捉される。支柱部２を立てた状態にすると、本体部５の底部３８が開口部２５周縁に当接して開口部２５を閉塞する（図２２参照）。この結果、第２吸気流路２７には空気が流れなくなりタービンファン１７は回転しない。従って、回転ブラシ１６も回転しないため、回転ブラシ１６により同じ床面を集中的に掻き取ってしまい床面が部分的にはげてしまうことを確実に防止することができる。また、開口部２５を床用吸込具６に上面に形成しているため、第２吸気流路２７を流れる空気には床面のごみが極力含まれておらず、タービンファン１７の目詰まりを防止することができる。
【００６１】
（第７実施形態）
図２３乃至図２７は本発明の第７実施形態を示している。尚、第１実施形態及び第６実施形態と同一部品については同一符号を付して説明を省略する。第７実施形態では、第２吸気流路２７の開口部２５を床用吸込具６の上方に向けると共に、開口部２５を開閉自在に閉塞するシャッター３４をペダル３９により操作するようになっている。
【００６２】
開口部２５と吸込継手１９の吸気路２１とを連通する第２吸気流路２７に臨ませてタービンファン１７を配設している。従って、第１吸気流路２６を流れる空気ではタービンファン１７は回転しないようになっている。開口部２５を開閉自在に閉塞するシャッター３４は図示しないガイドによりスライド自在に構成され、バネ等の付勢手段３５により開口
部２５を開放する方向（図２３において右側）に付勢されている。シャッター３４の一端は支点４０を中心に回転する連結バー４１の一端に連結されている。連結バー４１の他端はペダル３９と共に回動するレバー４２に当接している（図２７参照）。
【００６３】
図２６に示すようにペダル３９の前側を踏み込むと、レバー４２が前方に回動し連結バー４１には力が働かないので連結バー４１は回動しない。この結果、付勢手段３５によりシャッター３４は後方に移動して開口部２５は開放される。図２５に示すようにペダル３９の後側を踏むと、レバー４２が後方に回動し連結バー４１の他端を後方へ回動させる。そうすると、連結バー４１の一端が前方に回動し、連結バー４１の一端の前方への回動に伴って、付勢手段３５の付勢力に抗してシャッター３４を前方に移動させて開口部２５を閉塞する。
【００６４】
このように構成された第７実施形態の縦型電気掃除機は、図２６に示すようにペダル３９の前を踏んだ状態では、付勢手段３５によりシャッター３４が開口部２５を開放する方向に移動し開口部２５は開放されているため、開口部２５を介して床用吸込具６内に空気を吸引し第２吸気流路２７を空気が流れる。これに伴ってタービンファン１７が回転し、回転ブラシ１６も回転する。床面のごみは第１吸気流路２６を流れる空気により吸引され集塵部で捕捉される。図２５に示すようにペダル３９の後を踏んだ状態にすると、連結バー４１の一端が前方に回動し、連結バー４１の一端の前方への回動に伴って、付勢手段３５の付勢力に抗してシャッター３４を前方に移動させて開口部２５を閉塞する。
【００６５】
この結果、第２吸気流路２７には空気が流れなくなりタービンファン１７は回転しない。従って、回転ブラシ１６も回転しないため、回転ブラシ１６により同じ床面を集中的に掻き取ってしまい床面が部分的にはげてしまうことを確実に防止することができる。また、開口部２５を床用吸込具６に上面に形成しているため、第２吸気流路２７を流れる空気には床面のごみが極力含まれておらず、タービンファン１７の目詰まりを防止することができる。
【００６６】
（第８実施形態）
図２８乃至図３２は本発明の第８実施形態を示している。尚、第１実施形態及び第７実施形態と同一部品については同一符号を付して説明を省略する。第８実施形態では、第２吸気流路２７の開口部２５を床用吸込具６の上方に設けると共に、開口部２５を開閉自在に閉塞部材４３をペダル３９により操作するようになっている。
【００６７】
開口部２５と吸込継手１９の吸気路２１とを連通する第２吸気流路２７に臨ませてタービンファン１７を配設している。従って、第１吸気流路２６を流れる空気ではタービンファン１７は回転しないようになっている。開口部２５を開閉自在に閉塞する閉塞部材４３は、ペダル３９と共に回動する軸４４により回動する（図３０乃至図３２参照）。
【００６８】
図３０に示すようにペダル３９の後側を踏むと、閉塞部材４３が後方に回動して開口部２５は開放される（図２８参照）。図３１に示すようにペダル３９の前側を踏むと、閉塞部材４３が前方に回動して開口部２５を閉塞する（図２９参照）。
【００６９】
このように構成された第８実施形態の縦型電気掃除機は、図３０に示すようにペダル３９の後側を踏んだ状態では、開口部２５は開放されているため、開口部２５を介して床用吸込具６内に空気を吸引し第２吸気流路２７を空気が流れる。これに伴ってタービンファン１７が回転し、回転ブラシ１６も回転する。床面のごみは第１吸気流路２６を流れる空気により吸引され集塵部で捕捉される。
【００７０】
図３１に示すようにペダル３９の前側を踏んだ状態では、開口部２５は閉塞されるため
、第２吸気流路２７には空気が流れなくなりタービンファン１７は回転しない。従って、回転ブラシ１６も回転しないため、回転ブラシ１６により同じ床面を集中的に掻き取ってしまい床面が部分的にはげてしまうことを確実に防止することができる。また、開口部２５を床用吸込具６に上面に形成しているため、第２吸気流路２７を流れる空気には床面のごみが極力含まれておらず、タービンファン１７の目詰まりを防止することができる。
【００７１】
（第９実施形態）
図３３及び図３４は本発明の第９実施形態を示している。尚、第１実施形態及び第８実施形態と同一部品については同一符号を付して説明を省略する。第９実施形態では、タービンファン１７の回転力を回転ブラシ１６に伝達自在に構成している。
【００７２】
タービンファン１７の回転力を回転ブラシ１６に伝達する伝動ベルト１８は、伝動ベルト１８に接触自在に移動するプーリー４５を介して伝達されるようになっており、図３３に示すようにプーリー４５が伝動ベルト１８に接触する位置に移動させて伝動ベルト１８に張りを生じさせた状態では、タービンファン１７の回転力は回転ブラシ１６に伝達され、図３４に示すようにプーリー４５が伝動ベルト１８に接触しない位置に移動させて伝動ベルト１８に弛みを生じさせた状態では、タービンファン１７の回転力は回転ブラシ１６に伝達されないようになっている。このプーリー４５の移動は、支柱部２の回動位置と連動させており、支柱部２を倒した状態では、プーリー４５が伝動ベルト１８に接触する位置に移動し（図３３参照）、支柱部２を立てた状態では、プーリー４５が伝動ベルト１８に接触しない位置に移動するようになっている（図３４参照）。
【００７３】
このように構成された第９実施形態の縦型電気掃除機は、支柱部２を倒した状態では、第１吸気流路２６を流れる空気により回転するタービンファン１７の回転力が回転ブラシ１６に伝達されて回転ブラシ１６が回転するため床面のごみを掻き取ることができ、掃除の効率を向上させることができる。また、支柱を立てた状態では、タービンファン１７は回転するがタービンファン１７の回転力が回転ブラシ１６に伝達されないため、回転ブラシ１６を停止させることができ、回転ブラシ１６により同じ床面を集中的に掻き取ってしまい床面が部分的にはげてしまうことを確実に防止することができる。
【図面の簡単な説明】
【００７４】
【図１】本発明を実施するための最良の第１実施形態の縦型電気掃除機の側面図である。
【図２】図１の方向から見た断面図である。
【図３】同縦型電気掃除機を後方から見た図である。
【図４】図３の方向から見た断面図である。
【図５】同縦型電気掃除機の床用吸込具の断面図で、支柱部を倒した状態を示す。
【図６】同縦型電気掃除機の床用吸込具の断面図で、支柱部を立てた状態を示す。
【図７】同縦型電気掃除機の床用吸込具の上カバーを外した状態の上面図である。
【図８】同縦型電気掃除機の床用吸込具の裏面図である。
【図９】本発明を実施するための最良の第２実施形態の縦型電気掃除機の床用吸込具の断面図で、支柱部を倒した状態を示す。
【図１０】同縦型電気掃除機の床用吸込具の断面図で、支柱部を立てた状態を示す。
【図１１】本発明を実施するための最良の第３実施形態の縦型電気掃除機の床用吸込具の断面図で、支柱部を倒した状態を示す。
【図１２】同縦型電気掃除機の床用吸込具の断面図で、支柱部を床面から浮かした状態を示す。
【図１３】同縦型電気掃除機の床用吸込具の裏面図である。
【図１４】本発明を実施するための最良の第４実施形態の縦型電気掃除機の床用吸込具の断面図で、支柱部を倒した状態を示す。
【図１５】同縦型電気掃除機の床用吸込具の断面図で、偏向板を拡大した状態を示す。
【図１６】同縦型電気掃除機の床用吸込具の断面図で、支柱部を床面から浮かした状態を示す。
【図１７】同縦型電気掃除機の床用吸込具の断面図で、支柱部を床面から浮かした状態の偏向板を示す。
【図１８】本発明を実施するための最良の第５実施形態の縦型電気掃除機の床用吸込具の断面図で、支柱部を倒した状態を示す。
【図１９】同縦型電気掃除機の床用吸込具の断面図で、支柱部を立てた状態を示す。
【図２０】同縦型電気掃除機の床用吸込具の上カバーを外した状態の上面図である。
【図２１】本発明を実施するための最良の第６実施形態の縦型電気掃除機の床用吸込具の断面図で、支柱部を倒した状態を示す。
【図２２】同縦型電気掃除機の床用吸込具の断面図で、支柱部を立てた状態を示す。
【図２３】本発明を実施するための最良の第７実施形態の縦型電気掃除機の床用吸込具の断面図で、開口部を開放した状態を示す。
【図２４】同縦型電気掃除機の床用吸込具の断面図で、開口部を閉塞した状態を示す。
【図２５】同縦型電気掃除機の床用吸込具の部分断面図で、開口部を閉塞するペダルの状態を示す。
【図２６】同縦型電気掃除機の床用吸込具の部分断面図で、開口部を開放するペダルの状態を示す。
【図２７】同縦型電気掃除機の床用吸込具の上カバーを外した状態の上面図である。
【図２８】本発明を実施するための最良の第８実施形態の縦型電気掃除機の床用吸込具の断面図で、開口部を開放した状態を示す。
【図２９】同縦型電気掃除機の床用吸込具の断面図で、開口部を閉塞した状態を示す。
【図３０】同縦型電気掃除機の床用吸込具の部分断面図で、開口部を開放するペダルの状態を示す。
【図３１】同縦型電気掃除機の床用吸込具の部分断面図で、開口部を閉塞するペダルの状態を示す。
【図３２】同縦型電気掃除機の床用吸込具の上カバーを外した状態の上面図である。
【図３３】本発明を実施するための最良の第９実施形態の縦型電気掃除機の床用吸込具の断面図で、回転ブラシが回転する状態を示す。
【図３４】同縦型電気掃除機の床用吸込具の断面図で、回転ブラシが回転しない状態を示す。
【符号の説明】
【００７５】
２    支持部
３    集塵部
４    電動送風機
５    本体部
１２  吸込口
１６  回転ブラシ
１７  タービンファン
１８  伝動ベルト（伝達手段）
１９  吸込継手
【図１】
2005102892.tif 000003
【図２】
2005102892.tif 000004
【図３】
2005102892.tif 000005
【図４】
2005102892.tif 000006
【図５】
2005102892.tif 000007
【図６】
2005102892.tif 000008
【図７】
2005102892.tif 000009
【図８】
2005102892.tif 000010
【図９】
2005102892.tif 000011
【図１０】
2005102892.tif 000012
【図１１】
2005102892.tif 000013
【図１２】
2005102892.tif 000014
【図１３】
2005102892.tif 000015
【図１４】
2005102892.tif 000016
【図１５】
2005102892.tif 000017
【図１６】
2005102892.tif 000018
【図１７】
2005102892.tif 000019
【図１８】
2005102892.tif 000020
【図１９】
2005102892.tif 000021
【図２０】
2005102892.tif 000022
【図２１】
2005102892.tif 000023
【図２２】
2005102892.tif 000024
【図２３】
2005102892.tif 000025
【図２４】
2005102892.tif 000026
【図２５】
2005102892.tif 000027
【図２６】
2005102892.tif 000028
【図２７】
2005102892.tif 000029
【図２８】
2005102892.tif 000030
【図２９】
2005102892.tif 000031
【図３０】
2005102892.tif 000032
【図３１】
2005102892.tif 000033
【図３２】
2005102892.tif 000034
【図３３】
2005102892.tif 000035
【図３４】
2005102892.tif 000036